(57)【特許請求の範囲】
【請求項１】
病院内および病院外でネットワークに接続可能であり、かつ、所定の操作を行うことでネットワークを介してナースコール親機を呼び出す機能を備えた呼出機能付き携帯端末であって、
前記所定の操作を行うための操作部と、
自装置の位置を検出して位置情報として出力する位置検出部と、
自装置を使用する患者が入院した病院の場所を示す病院場所情報を記憶する記憶部と、
前記操作部にて所定の操作が行われた場合に、前記位置検出部にて検出された位置情報と前記記憶部に記憶されている病院場所情報とが一致するか否かを判定し、両者が一致したときのみナースコール親機を呼び出す機能を動作させる制御部と、
を備えたことを特徴とする呼出機能付き携帯端末。
【発明の詳細な説明】
【技術分野】
【０００１】
本発明は、患者が医療従事者を呼び出す機能を搭載した呼出機能付き携帯端末に関する。
【背景技術】
【０００２】
一般的に、病院などでは、ナースコールシステムが用いられている。ナースコールシステムは、病院内の患者が医者または看護師のサポートを必要とする際に、患者がナースコール子機に設けられた呼出操作部を操作することによって、ナースコール子機に接続されたナースコール親機にて報知が行われ、この報知によって医者や看護師（以下、これらをまとめて医療従事者と記載する）を呼び出すことができるように成されたシステムである。
【０００３】
多くのナースコールシステムは、病室内のベッド近傍に設置されるナースコール子機と、医療従事者が常駐するナースステーションに設置されるナースコール親機と、病室の出入口付近の廊下側に設置される廊下灯と、通話やデータの送受信に関する制御を行う制御機とを備えて構成されている。また、上述した構成に加えて、医療従事者が携帯するＰＨＳ（Personal Handy phone System）端末などの携帯端末とＰＢＸ（Private Branch Exchange：電話交換機）とを備えたナースコールシステムも提供されている。
【０００４】
ところで、患者に携帯端末を携行させて、患者が携帯端末により呼び出しの操作を行うことで、携帯端末から無線呼出信号が送信され、この無線呼出信号を、基地局を介してナースコール親機で受信すると、ナースコール親機にて報知を行うナースコールシステムも知られている（例えば、特許文献１など）。この特許文献１に記載の技術では、基地局が設置されている場所であれば、患者は何処に居ても呼び出しを行うことができる。
【０００５】
また、携帯端末に電話機能を備えたスマートフォンと呼ばれる携帯端末が知られている。このスマートフォンでは、各種機能を示す複数のアイコンをタッチパネル付きディスプレイに縦横に並べて表示することが一般的である（例えば、特許文献２など）。この特許文献２に記載のスマートフォンに、患者が医療従事者を呼び出すための呼出機能を設け、この呼出機能を一つのアイコンとしてタッチパネル付きディスプレイに表示することで、患者が自身の持ち物であるスマートフォンを、そのままナースコール子機として使用することができるようになる。
【０００６】
このように、スマートフォンに呼出機能を搭載した場合、スマートフォンから送信される無線呼出信号は、ネットワークを介してナースコール親機へ送信されることが考えられる。そのため、上述した従来技術では、スマートフォンから送信される無線呼出信号がネットワークを介してナースコール親機へ送信される。従って、患者が自身の私物であるスマートフォンを利用していた場合には、そのスマートフォンは、患者が退院した後でも呼出機能を搭載したままであるので、患者が病院外でスマートフォンにて呼出機能を実行すると、ナースコール親機にて報知が行われてしまい、誤報が発生するという問題があった。
【先行技術文献】
【特許文献】
【０００７】
【特許文献１】特開２００５−２１０１７３号公報
【特許文献２】特開２０１１−６４０３０号公報
【発明の概要】
【発明が解決しようとする課題】
【０００８】
本発明は、このような問題を解決するために成されたものであり、患者がナースコール子機として自身の私物であるスマートフォンを利用していた場合に、患者が退院した後でナースコール子機の呼出機能を実行しても、ナースコール親機にて報知が行われないようにすることを目的とする。
【課題を解決するための手段】
【０００９】
上述した課題を解決するために、本発明では、病院の内外でネットワークに接続可能であり、かつ、所定の操作を行うことでネットワークを介してナースコール親機を呼び出す機能を有する携帯端末であって、この携帯端末は自装置の位置を示す位置情報を検出し、検出された位置情報と、携帯端末を使用する患者が入院した病院の場所を示す病院場所情報とが一致した場合にのみナースコール親機を呼び出す機能を動作させるようにしている。
【発明の効果】
【００１０】
上記のように構成した本発明によれば、携帯端末にて検出された位置情報と、携帯端末を使用する患者が入院した病院の場所を示す病院場所情報とが一致した場合にのみナースコール親機を呼び出す機能が働くので、患者が病院外でナースコール親機を呼び出す機能を実行しても、ナースコール親機にて報知が行われなくなり、誤報の発生を防止することができる。
【図面の簡単な説明】
【００１１】
【図１】本実施形態による呼出機能付き携帯端末を含むナースコールシステムの構成例を示すブロック図である。
【図２】本実施形態による呼出機能付き携帯端末の表示画面の例を示す図である。
【発明を実施するための形態】
【００１２】
以下、本発明の一実施形態を図面に基づいて説明する。図１は、本実施形態による呼出機能付き携帯端末１を含むナースコールシステムの構成例を示すブロック図である。このナースコールシステムは、呼出機能付き携帯端末１とナースコール親機１０とを備えて構成されている。ここで、呼出機能付き携帯端末１は、スマートフォンなどの各種機能を実行するための各アプリケーションの追加が可能な携帯端末により構成されている。また、呼出機能付き携帯端末１は、病院に入院する患者自身の私物であり、患者は退院した後も継続して使用するものである。また、呼出機能付き携帯端末１は、制御部２、操作部３、記憶部４、位置検出部５、送受信部６を備えて構成されている。
【００１３】
ナースコール親機１０は、医療従事者が常駐するナースステーションなどに設置されており、医療従事者によって使用される。ここで、ナースコール親機１０は、図１に示すように、親機制御部１１、親機送受信部１２、親機記憶部１３、報知部１４を備えて構成されている。
【００１４】
まず、呼出機能付き携帯端末１の各構成要素について説明する。制御部２は、呼出機能付き携帯端末１の各構成要素を後述するように制御するためのものであり、ＣＰＵ（Central Processing Unit）などにより構成されている。操作部３は、患者が医療従事者を呼び出すための所定の操作を行うためのものであり、例えば、タッチパネル付きディスプレイにより構成される。図２に示すように、タッチパネル付きディスプレイは、表示画面１００上に、各アプリケーションを選択するための複数のアイコン１０１を表示している。また、タッチパネル付きディスプレイは、表示画面１００上に、呼出機能に該当する呼び出しアイコン１０２を表示している。
【００１５】
記憶部４は、患者が入院する病院の場所を示す病院場所情報を記憶する。ここで、病院場所情報は、後述する送受信部６により受信しても良いし、呼出機能付き携帯端末１の図示しない入力部によって入力しても良い。
【００１６】
位置検出部５は、呼出機能付き携帯端末１の現在位置を検出するためのものであり、例えばＧＰＳ（Global Positioning System）を用いて位置の検出を行う。ここで、位置検出部５は、検出した現在位置を位置情報として制御部２へ出力する。
【００１７】
送受信部６は、呼出機能付き携帯端末１とナースコール親機１０との間でネットワークを介して無線にて通信を行うためのものである。ここで、送受信部６は、後述する呼出信号をナースコール親機１０へ送信する。また、呼出機能付き携帯端末１とナースコール親機１０との間で通話が可能である場合には、送受信部６は、呼出機能付き携帯端末１にて入力された音声信号をナースコール親機１０へ送信し、ナースコール親機１０から送信された音声信号を受信する機能も有する。
【００１８】
このように構成された呼出機能付き携帯端末１にて操作部３が操作されると（換言すると、図２における呼び出しアイコン１０２が操作されると）、制御部２は、記憶部４を参照し、位置検出部５から入力した位置情報と、記憶部４に記憶されている病院場所情報とを比較し、両者が一致するか否かを判定する。
【００１９】
そして、両者が一致していると制御部２にて判定された場合にのみ、制御部２は呼出信号を生成する。制御部２にて生成された呼出信号は、送受信部６によりナースコール親機１０へ送信される。ここで、呼出機能付き携帯端末１は各患者の私物であるため、呼出信号には、各呼出機能付き携帯端末１を識別するための識別情報が含まれる。
【００２０】
次に、ナースコール親機１０の各構成要素について説明する。親機制御部２は、ナースコール親機１０の各構成要素を後述するように制御するためのものであり、ＣＰＵなどにより構成されている。
【００２１】
親機送受信部１２は、ナースコール親機１０と呼出機能付き携帯端末１との間でネットワークを介して無線にて通信を行うためのものである。ここで、親機送受信部１２は、呼出機能付き携帯端末１から送信された呼出信号を受信する。また、呼出機能付き携帯端末１とナースコール親機１０との間で通話が可能である場合には、親機送受信部１２は、ナースコール親機１０にて入力された音声信号を呼出機能付き携帯端末１へ送信し、呼出機能付き携帯端末１から送信された音声信号を受信する機能も有する。
【００２２】
親機記憶部１３は、各呼出機能付き携帯端末１の識別情報と、この識別情報によって特定される呼出機能付き携帯端末１を使用する患者を他の患者と識別するための患者識別情報（例えば、患者氏名など）とを関連付けて予め記憶している。報知部１４は、スピーカーや表示ディスプレイ、ランプなどにより構成されており、呼出機能付き携帯端末１によって患者が医療従事者を呼び出す操作を行ったことを報知する。
【００２３】
このように構成されたナースコール親機１０では、親機送受信部１２が呼出信号を入力したと親機制御部１１にて判断した場合に、親機制御部１１は報知部１４を動作させる。また、親機制御部１１は親機記憶部１３を参照して、親機送受信部１２が受信した呼出信号に含まれる識別情報に関連付けて記憶されている患者識別情報を抽出する。報知部１４は、スピーカーから報知音を出力したり、表示ディスプレイに患者識別情報を含む報知表示を行ったり、ランプを点滅（または点灯）したりして報知を行う。
【００２４】
以上詳しく説明したように、本実施形態によれば、病院の内外でネットワークに接続可能な呼出機能付き携帯端末１の操作部３が操作された場合に、位置検出部５にて検出された現在位置情報と記憶部４に記憶されている患者が入院している病院の病院場所情報とが一致するか否かを制御部２にて判定し、両者が一致したときのみ制御部２は呼出信号を生成するようにしている。
【００２５】
これにより、患者が病院内で呼出機能付き携帯端末１の操作部３を操作した場合には、ナースコール親機１０にて報知が行われ、患者が病院外で呼出機能付き携帯端末１の操作部３を操作した場合には、ナースコール親機１０にて報知が行われなくなる。従って、患者が病院外にて呼出機能付き携帯端末１の操作部３を操作した際の誤報の発生を防止することができる。
【００２６】
なお、前述した実施形態では、操作部３の機能をタッチパネル付きディスプレイ上に表示されている呼び出しアイコン１０２により実現しているが、これに限定されない。例えば、携帯端末に設けられているボタンなどにより操作部３の機能を実現するようにしても良い。
【００２７】
また、前述した実施形態では、呼出機能付き携帯端末１のみがナースコール親機１０を呼び出す機能を有しているが、これに限定されない。例えば、周知のナースコール子機を並存させて、ナースコール親機１０を呼び出すようにしても良い。
【００２８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２９】
１    呼出機能付き携帯端末
２    制御部
３    操作部
４    記憶部
５    位置検出部
６    送受信部
１０    ナースコール親機
１１    親機制御部
１２    親機送受信部
１３    親機記憶部
１４    報知部
【図１】
0005832025.tif 000002
【図２】
0005832025.tif 000003